(57)【要約】【課題】使用者または展示場所の制限／需要によって穏やかに被支持物を保持しながら少しずつまたは連続的に保持フレームの傾斜角度を調整することができる支持装置を提供する。【解決手段】支持台３と、前記支持台３の上に、水平的に延び、且つ、その軸線を中心として回転できるように配置されている回転軸４と、前記支持台３の上に設置されていて前記回転軸４の回転を調整する調整手段６と、前記回転軸４に保持されている支持フレーム５とからなり、前記調整手段６による調整がされると前記支持フレーム５の物品を支持する傾斜度がそれに伴って変化され得る。【選択図】図３
2007034665.tif 000002
【特許請求の範囲】
【請求項１】
支持台と、
前記支持台に、水平に延び、且つ、それ自体の軸線を中心として回転できるように配置されている回転軸と、
前記支持台に設置されていて前記回転軸の回転を調整する調整手段と、
前記回転軸に保持されている支持フレームとからなり、
前記調整手段による調整がされると前記支持フレームの物品を支持する傾斜度がそれに伴って変化され得ることを特徴とする支持装置。
【請求項２】
台座と前記台座に直立した中空状の直棒とからなる支持台と、
前記直棒の上端に該直棒と直交し且つそれ自体の軸線を中心として回転できるように軸支されている回転軸と、
前記回転軸の前記軸支以外の部分を貫通しており、且つそれらの少なくとも一端が湾曲状をなし、互いに横方向に対応するように配置構成されていて該端が下方に揃って位置して物品を下から支持することができる複数の支持ロッドからなる支持フレームとを備えており、
前記回転軸の前記直棒との直交部分がギヤになっており、前記直棒の前記回転軸との直交部分の下にノブ付き調整スクリューが挿入されて前記ギヤと噛合うように設置され、前記ノブが回転されると前記支持フレームの傾斜度が前記回転軸の前記スクリューによる回動に伴って変化することができることを特徴とする支持装置。
【請求項３】
前記ロッドの湾曲状はかぎ形になっていることを特徴とする請求項２に記載の支持装置。
【請求項４】
前記中空状直棒の上端に、ブッシングが前記直棒と直交し且つ互いに連通して固定されており、
前記回転軸は前記ブッシングを貫通するように軸支され、前記ギヤは前記ブッシングの前記直棒と連通している部分を介して前記調整スクリューと噛合っていることを特徴とする請求項２または３に記載の支持装置。
【発明の詳細な説明】
【技術分野】
【０００１】
本発明は、支持装置に関し、特に、その支持角度が使用者の需要によって調整され得る支持装置に関する。
【背景技術】
【０００２】
従来から、使用または展示の便に、図１に示すように、その上面に前後の方向に沿って一連になった複数の凹部１１１が形成してある台座１１と、前記台座１１の前端近くに枢設されていて前後の方向に揺動することができる支持フレーム１２と、前記支持フレーム１２が前記台座１１に対して揺動する場合の前記台座１１と対向する面（即ち支持面である前面の反対面である後面）に前後の方向に揺動可能で前記複数の凹部１１１に選択的に係止されることができるように枢設されている支持板１３とからなる支持装置が使用されている。
【０００３】
このような支持装置は、使用者または展示場所の制限／需要によって、支持板１３がいずれの凹部１１１に入れられて仮固定されることができ、即ち支持フレーム１２の傾斜角度が調整できるが、調整時に手で支持フレーム１２およびその前面上に斜めに支持されているコンピュータなどの重い被支持物を同時に保持しなければならないので、手間がかなりかかるばかりでなく、不意に被支持物が支持フレーム１２から前へ倒れたり側縁から滑り落ちる可能性があり、支持板１３を適当な凹部１１１に入れられずに支持フレーム１２と被支持物とを共に台座１１の上面に落とす可能性もある。なお、支持フレーム１２の傾斜角度を決定する凹部１１１は一連の複数のものであるが、調整距離が滑らかに連続するものではないため、前へ一つ移しても後ろへ一つ移しても、如何に調整しても、角度が妥当ではないという感じがする場合も時々ある。
【発明の開示】
【発明が解決しようとする課題】
【０００４】
前記に鑑みて、本発明は、使用者または展示場所の制限／需要によって穏やかに被支持物を保持しながら少しずつまたは連続的に保持フレームの傾斜角度を調整することができる支持装置を提供することを目的とする。
【課題を解決するための手段】
【０００５】
前記目的を達成するために、本発明は、支持台と、前記支持台の上に、水平に延び、且つ、それ自体の軸線を中心として回転できるように配置されている回転軸と、前記支持台の上に設置されていて前記回転軸の回転を調整する調整手段と、前記回転軸に保持されている支持フレームとからなり、
前記調整手段による調整がされると前記支持フレームの物品を支持する傾斜度がそれに伴って変化され得ることを特徴とする支持装置を提供する。
【０００６】
また、本発明は、台座と前記台座に直立した中空状の直棒とからなる支持台と、前記直棒の上端に該直棒と直交し且つそれ自体の軸線を中心として回転できるように軸支されている回転軸と、前記回転軸の前記軸支以外の部分を貫通しており、且つそれらの少なくとも一端が湾曲状をなし、互いに横方向に対応するように配置構成されていて該端が下方に揃って位置して物品を下から支持することができる複数の支持ロッドからなる支持フレームとを備えており、
前記回転軸の前記直棒との直交部分がギヤになっており、前記直棒の前記回転軸との直交部分の下にノブ付き調整スクリューが挿入されて前記ギヤと噛合うように設置され、前記ノブが回転されると前記支持フレームの傾斜度が前記回転軸の前記スクリューによる回動に伴って変化することができることを特徴とする支持装置を提供する。
【発明の効果】
【０００７】
前記構成による支持装置は、前記調整手段での調整により支持フレームの傾斜度が少しずつ変化し、特に、前記調整スクリューでの調整によって支持フレームの傾斜度が連続的に変化され得るので、調整時に手で支持フレームやその前面上に斜めに支持されているコンピュータなどの重い被支持物を同時に保持する必要がなく、支持フレームの傾斜度を細かな調整によって適切に設定することができるうえ、従来のように保持板を適当な凹部に入れられずに支持フレーム１２と被支持物とを共に台座１１の上面に落すようなことなども防止できる。
【発明を実施するための最良の形態】
【０００８】
以下、図示を参照しつつ本発明の好適な実施形態について説明する。
【０００９】
図２，３に示すように、本発明の好適な実施形態の支持装置は、台座３１と前記台座３１に直立した中空状の直棒３２とからなる支持台３と、前記直棒３２の上端に該直棒３２と直交し且つそれ自体の軸線を中心として回転できるように軸支されている回転軸４と、前記回転軸４の前記軸支以外の部分を貫通しており、且つそれらの少なくとも一端５１１が湾曲状のかぎ形になっており、互いに横方向に対応するように配置構成されていて該端５１１が下方に揃って位置して物品を下から支持できる複数の支持ロッド５１からなる支持フレーム５とを備えている。
【００１０】
前記回転軸４の前記直棒３との直交部分がギヤ４１になっており、前記直棒４の前記回転軸３との直交部分の下にノブ６１付き調整スクリュー６が挿入されて前記ギヤ４１１と噛合うように設置されている。これにより、前記ノブ６１が回転されると、前記支持フレーム５の傾斜度が前記回転軸４の前記スクリュー６による回動に伴って変化することができるものである。
【００１１】
本実施形態では、支持ロッド５１は２本あり、それぞれ回転軸４の両端近傍を貫通するように設置されているが、本数は３本以上でもよいし、また、回転軸４を貫通するところは両端以外の部分でも良い。そして、本実施形態では、その湾曲状端部はかぎ状となっているが、被支持物を保持することができる他の形状であっても良い。
【００１２】
また、本実施形態では、前記中空状直棒３の上端に、そのほぼ中央部の下側面に貫通孔３３１が形成されているブッシング３３（図２参照）が直棒３と直交し且つ互いに連通して固定されている。該支持装置は回転軸４がブッシング３３を貫通するように軸支されており、そのギヤ４１がブッシング３３の直棒３と連通している部分を介して調整スクリュー６と噛合っている。
【００１３】
該支持装置では、図４に示すように、コンピュータ２などの被支持物を保持ロッド５１の下端部５１１のかぎ形部内に載せてから、ノブ６１を介して調整スクリュー６を回動することにより、２本の支持ロッド５１からなっている支持フレーム５及びそれに載せられた被支持物の傾斜角度を調整することができる。尚、該支持装置は、必要に応じて、図５に示すように、保持フレーム５を台座３１と略平行に調整できるようにしても良い。
【００１４】
また、上述したのは、すべて本発明の好ましい実施形態例だけであって、本発明の特許請求の範囲及び明細書の内容に基づく簡単な変更や修飾を加えたものも本発明の範囲に属する。
【００１５】
本発明による支持装置は、穏やかに被保持物を保持しながら適切に支持フレームの傾斜度を微調整することができるので、コンピュータなどの重い被支持物を使用または展示する場合に広くに応用され得る。
【図面の簡単な説明】
【００１６】
【図１】従来の支持装置の側面図。
【図２】本発明の好適な実施形態の支持装置の分解斜視図。
【図３】本発明の好適な実施形態の支持装置の斜視図。
【図４】本発明の好適な実施形態の支持装置における支持フレームの傾斜度を調整した場合の一例の側面図。
【図５】本発明の好適な実施形態の支持装置における支持フレームの傾斜度を調整した場合の他の一例の側面図。
【符号の説明】
【００１７】
２．．．コンピュータ
３．．．支持台
３１．．．台座
３２．．．直棒
３３．．．ブッシング
３３１．．．貫通孔
４．．．回転軸
４１．．．ギヤ
５．．．支持フレーム
５１．．．支持ロッド
５１１．．．下端部またはかぎ形部
６．．．調整スクリュー
６１．．．ノブ
【図１】
2007034665.tif 000003
【図２】
2007034665.tif 000004
【図３】
2007034665.tif 000005
【図４】
2007034665.tif 000006
【図５】
2007034665.tif 000007